(57)【特許請求の範囲】
【請求項１】
容器体口頸部へ嵌合させた装着筒１内から主筒を起立し、該主筒前面からシリンダ２を、かつ主筒上端から射出筒３を、それぞれ前方突設し、又射出筒前部に枢着させて垂設したトリガー４の上方後部に、シリンダ２内へ嵌合させたプランジャ５前端部を連結し、かつトリガー４を前方付勢させ、トリガーの前後方向揺動で容器体内液体をシリンダ２内へ吸込み、かつ該シリンダ内液体を射出筒３前端から噴出可能に設けたトリガー式液体噴出器において、
上記トリガー４を前壁６の左右から側壁７を後方突出する横断面コ字形状として、その前壁６上部に第１透孔８を穿設しておき、
上記射出筒３前端部下部から案内板１０をトリガー４上部前面沿いに垂設し、かつその案内板１０下部に上記第１透孔８へ連通させて第２透孔１１を穿設し、
上記案内板１０の前面沿いに上下動自在な前板１２の左右から側板１３を後方突出して平面コ字形状の摺動部１４を形成し、該摺動部の左右両側板で案内板１０を左右方向から上下動自在に、かつ前方へ抜出し不能に挟持させると共に、前板１２後面から上記第２透孔１１と第１透孔８とへ挿通させてロック棒１６を後方突設し、該ロック棒１６後端部から係合爪１７を突設して、これらロック棒１６と摺動部１４とでロック部材１８を形成し、該ロック部材の案内板１０に対する上下動によりロック棒１６の係合爪１７をトリガー４の第１透孔８の上後縁又は下後縁へ係合可能に形成し、
上記ロック部材１８のロック棒１６は、第１透孔８上後縁または下後縁へ係合爪が係合してトリガー４の後方への引寄せを不能にする係合位置と、第１透孔８上後縁または下後縁から上下方向へ係合爪１７が離脱してトリガー４の後方への引寄せを可能にする非係合位置とを有する、
ことを特徴とするトリガー式液体噴出容器。
【請求項２】
射出筒３前端部へ回動可能に液体噴出部を有するノズルキャップ１９を嵌合させ、これら嵌合部に、射出筒３に対するノズルキャップ１９の回動で射出筒３が有する射出筒孔と液体噴出部とを連通させ、又遮断させることが自在な液体通路開閉機構を設けた、
ことを特徴とする請求項１記載のトリガー式液体噴出容器。
【発明の詳細な説明】
【０００１】
【発明の属する技術分野】
本発明はトリガー式の液体噴出容器に関する。
【０００２】
【従来の技術】
例えば、実開平６−３１８５４号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
また、実開昭６２−１８７６６５号が示すように、上記射出筒前端部へ回動可能に液体噴出孔を有するノズルキャップを嵌合させ、これら嵌合部分に射出筒に対するノズルキャップの回動で射出筒が有する射出筒孔と液体噴出孔とを連通させ、また遮断させることが自在な液体通路開閉機構を設けることも知られている。
【０００４】
【発明が解決しようとする課題】
上記前者の公知例にあっては、不用意にトリガーを引寄せても射出筒前端から液体を噴出するから、このような不用意な液体噴出を防止するための安全装置を設けることが望まれ、また後者公知例はそのような安全装置として設けられたが、該後者公知例にあってもその安全装置を施した状態でトリガーを無理に引寄せると、僅かにトリガーおよびプランジャが後退、前進することで容器体内液体が吸込まれ、その結果吸込み弁から上記射出筒前部とノズルキャップとが形成する液体通路開閉機構までの液体流入部分内へ過剰に液体が流入することとなり、該状態からノズルキャップを回して上記開閉機構を開くと、上記過剰に充填されていた液体が液体噴出孔から噴出するおそれがあった。
本発明はトリガー操作を不能とする安全装置を設けることで、上記のような不用意な液体噴出を防止できるよう設けたものである。
【０００５】
【課題を解決するための手段】
第１の手段として、容器体口頸部へ嵌合させた装着筒１内から主筒を起立し、該主筒前面からシリンダ２を、かつ主筒上端から射出筒３を、それぞれ前方突設し、又射出筒前部に枢着させて垂設したトリガー４の上方後部に、シリンダ２内へ嵌合させたプランジャ５前端部を連結し、かつトリガー４を前方付勢させ、トリガーの前後方向揺動で容器体内液体をシリンダ２内へ吸込み、かつ該シリンダ内液体を射出筒３前端から噴出可能に設けたトリガー式液体噴出器において、
上記トリガー４を前壁６の左右から側壁７を後方突出する横断面コ字形状として、その前壁６上部に第１透孔８を穿設しておき、
上記射出筒３前端部下部から案内板１０をトリガー４上部前面沿いに垂設し、かつその案内板１０下部に上記第１透孔８へ連通させて第２透孔１１を穿設し、
上記案内板１０の前面沿いに上下動自在な前板１２の左右から側板１３を後方突出して平面コ字形状の摺動部１４を形成し、該摺動部の左右両側板で案内板１０を左右方向から上下動自在に、かつ前方へ抜出し不能に挟持させると共に、前板１２後面から上記第２透孔１１と第１透孔８とへ挿通させてロック棒１６を後方突設し、該ロック棒１６後端部から係合爪１７を突設して、これらロック棒１６と摺動部１４とでロック部材１８を形成し、該ロック部材の案内板１０に対する上下動によりロック棒１６の係合爪１７をトリガー４の第１透孔８の上後縁又は下後縁へ係合可能に形成し、
上記ロック部材１８のロック棒１６は、第１透孔８上後縁または下後縁へ係合爪が係合してトリガー４の後方への引寄せを不能にする係合位置と、第１透孔８上後縁または下後縁から上下方向へ係合爪１７が離脱してトリガー４の後方への引寄せを可能にする非係合位置とを有する。
【０００６】
第２の手段として、上記第１の手段を有すると共に、射出筒３前端部へ回動可能に液体噴出部を有するノズルキャップ１９を嵌合させ、これら嵌合部に、射出筒３に対するノズルキャップ１９の回動で射出筒３が有する射出筒孔と液体噴出部とを連通させ、又遮断させることが自在な液体通路開閉機構を設けた。
【０００７】
【発明の実施の形態】
以下、本発明に係るトリガー式液体噴出容器の実施形態を図面を参照しながら説明する。
まず、公知のトリガー式液体噴出容器について簡単に説明すると、図示しない容器体口頸部へ嵌合させた装着筒１内から主筒（図示せず）を起立し、該主筒前面からシリンダ２を、かつ主筒上端から射出筒３を、それぞれ前方突出し、また射出筒３前部に枢着させて垂設したトリガー４の上部後側に、シリンダ２内へ嵌合させたプランジャ５前端部を連結し、トリガー４の前後方向揺動で容器体内液体をシリンダ２内へ吸込み、かつ該シリンダ内液体を射出筒３前端から噴出可能に設けている。
なお、トリガー４は、シリンダ２内に設けたプランジャ５付勢用のバネによりプランジャを介して、又は主筒等のトリガー４以外の部材に一端を取り付けたバネにより前方付勢させる。
【０００８】
本発明では、トリガー４を前壁６の左右から側壁７を後方突出する横断面コ字形状に形成し、かつその前壁６上部に第１透孔８を穿設する。
また射出筒３前端部を形成するノズルキャップ嵌合筒９の基部下面から上下に細長の案内板１０を垂下して、該案内板１０後面をトリガー４上部前面へ接触させると共に、案内板１０下部へ第１透孔８に連通させて第２透孔１１を穿設する。これら第１透孔８と第２透孔１１とはほぼ同一高さに位置し、かつこれらの上下長さはほぼ等しくなっている。
【０００９】
さらに案内板１０前面沿いに上下方向へ摺動自在な前板１２の左右から側板１３を後方突出して横断面コ字形状の摺動部１４を形成すると共に、その左右の側板１３内面に上下方向に延びる係合突条１５を形成する。
そして左右両側板１３で案内板１０の左右両側面を摺動自在に挟持させると共に、係合突条１５を案内板１０後面へ摺動自在に係合させる。
【００１０】
一方、前板１２の上部後面から第２透孔１１と第１透孔８とへ挿通させてロック棒１６を後方突設し、該ロック棒後端部から第１透孔８の下後縁へ係合可能な係合爪１７を突設する。
この係合爪１７を有するロック棒１６と摺動部１４とでロック部材１８を形成する。
図示例では係合爪１７は上記のごとく第１透孔８の下後縁へ係合可能であるが、これに限らず第１透孔８の上後縁へ係合可能に形成してもよい。
【００１１】
なお、請求項２記載のように、射出筒３前端部へ回動可能に液体噴出孔を有するノズルキャップ１９を嵌合させ、これら嵌合部に、射出筒３に対するノズルキャップ１９の回動で射出筒３が有する射出筒孔と液体噴出孔とを連通させ、又遮断させることが可能な液体通路開閉機構を設けることも可能である。この液体通路開閉機構は、例えば実開昭６２−１８７６６５号に記載されているように公知である。
図中２０は図示しない主筒に連通する吸込みパイプで、その下端は容器体（図示せず）底部に達する。
【００１２】
次に本実施形態の作用について説明する。
ロック部材１８が案内板１０に対して上限位置に位置する場合には、図１に示すように係合爪１７は第１透孔８の下後縁から上方へ離間しており、従って、トリガー４を後方へ引き寄せると、ロック棒１６が相対的に第１透孔８から抜け出すため、トリガー４の後方への引寄せが可能となる。
【００１３】
トリガー４の後方への引寄せを不能にするためには、ロック部材１８を案内板１０に対して下降させて下限位置に位置させればよく、すると図２に示すように係合爪１７が第１透孔８の下後縁へ係合するため、トリガー４の後方への引寄せが不能となる。
【００１４】
なお、図示しない液体通路開閉機構により射出筒３の射出筒孔とノズルキャップ１９の液体噴出孔とを遮断させることも可能であるが、この場合でもトリガー４を僅かではあるが前後へ揺動させることも不可能ではなく、仮にこの液体通路開閉機構による遮断状態でトリガー４を揺動させると過剰充填が生じ、ここで液体噴出孔と射出筒孔とを連通させて遮断を解除すると液体が噴出するという不具合が生ずるが、上記ロック部材１８によりトリガー４を引寄せ不能にしておけばこのような事態を未然に防止することができる。
【００１５】
【発明の効果】
請求項１記載のトリガー式液体噴出容器は、トリガーを案内板へ固定可能なロック部材を設けたので、不使用時におけるトリガーの後方への引寄せを不能とすることができ、このため子供の悪戯等本来の目的以外の噴出防止が図れる。
【００１６】
請求項２記載のトリガー式液体噴出容器は、トリガーの後方への引寄せを不能にすることができるため、液体通路開閉機構による液体噴出孔と射出筒孔との遮断後におけるトリガーの僅かの揺動によって生ずる過剰充填に起因する不測の噴出といった事態を未然に防止することができる。
【図面の簡単な説明】
【図１】本発明に係るトリガー式液体噴出容器の要部を示すもので、トリガー後方引寄せ可能時の状態を示す一部切欠き側面図。
【図２】同じく、トリガー後方引寄せ不能時の状態を示す一部切欠き側面図。
【図３】同じく、容器本体を除く全体斜視図。
【図４】同じく、図３のＸ−Ｘ線に沿う断面図。
【図５】同じく、要部を示す分解斜視図。
【符号の説明】
１  装着筒
２  シリンダ
３  射出筒
４  トリガー
５  プランジャ
６  前壁
７  側壁
８  第１透孔
１０  案内板
１１  第２透孔
１２  前板
１３  側板
１４  摺動部
１６  ロック棒
１７  係合爪
１８  ロック部材
１９  ノズルキャップ
【図１】
0003770443.tif 000002
【図２】
0003770443.tif 000003
【図３】
0003770443.tif 000004
【図４】
0003770443.tif 000005
【図５】
0003770443.tif 000006